(57)【特許請求の範囲】
【請求項１】
外部から入力された元画像データ各々に対し、特定の属性を有する追加画像データを作成し、当該元画像データに追加して原稿画像データを作成する追加手段と、
前記原稿画像データに基づいて、前記元画像データに対応する元画像と前記追加画像データに対応する追加画像とを含む原稿画像を記録材に形成する画像形成手段と、
前記画像形成手段によって前記記録材に形成された画像を読み取って読取画像データを作成する画像読取手段と、
前記元画像データと前記読取画像データとの差分をとることにより差分画像データを作成する差分画像作成手段と、
前記差分画像データに対し、前記属性に基づいて前記追加画像データに起因する差分を無効化する修正を施して、修正後差分画像データを作成する無効化手段と、
前記修正後差分画像データに基づいて、前記画像形成手段によって前記記録材に形成された前記元画像における欠陥を検出する検出手段と
を含む印刷システム。
【請求項２】
前記画像形成手段は、前記原稿画像データのうち前記追加画像データに基づく前記追加画像を、前記記録材のうち前記元画像データに対応する前記元画像が形成される領域である枠内領域に形成することを特徴とする請求項１記載の印刷システム。
【請求項３】
前記追加手段は、第１の属性を有する第１追加画像データと、第２の属性を有する第２追加画像データとを、１つの前記元画像データに追加し、
前記画像形成手段は、前記原稿画像データのうち、
前記第１追加画像データに基づく第１追加画像を前記枠内領域に形成し、
前記第２追加画像データに基づく第２追加画像を前記元画像データに対応する前記元画像が形成されない枠外領域に形成し、
前記無効化手段は、前記差分画像データのうち、
前記枠内領域に存在する前記第１追加画像データに対応する画素の画素値を低減する処理を施し、
前記枠外領域に存在するすべての画素の画素値を一律に低減する処理を施すこと
を特徴とする請求項２記載の印刷システム。
【請求項４】
前記追加画像データは、前記枠内領域に特定の周期で分散して配置され、共通の特定の色を有するドットからなるという前記属性を有し、
前記無効化手段は、前記差分画像データのうち、前記枠内領域に存在する画素について、前記特定の色を有するドットに対応する画素の画素値を低減する処理を施すことを特徴とする請求項２記載の印刷システム。
【請求項５】
前記特定の色は、イエローであり、
前記画像形成手段は、シアン、マゼンタ、イエロー、黒の色材を用いて前記記録材に画像を形成し、
前記画像読取手段は、前記記録材に形成された画像を赤、緑、青の色で読み取り、
前記無効化手段は、前記差分画像データのうち、青のデータに対して無効化処理を施すこと
を特徴とする請求項４記載の印刷システム。
【請求項６】
外部から入力された元画像データ各々に対し、特定の属性を有する追加画像データを作成し、当該元画像データに追加して原稿画像データを作成する追加手段と、
前記原稿画像データに基づいて、前記元画像データに対応する元画像と前記追加画像データに対応する追加画像とを含む原稿画像を記録材に形成する画像形成手段と、
前記画像形成手段によって前記記録材に形成された画像を読み取って読取画像データを作成する画像読取手段と、
前記読取画像データに対し、前記属性に基づいて前記追加画像データに起因する差分を無効化する修正を施して、修正後読取画像データを作成する無効化手段と、
前記元画像データと前記修正後読取画像データとの差分をとることにより差分画像データを作成する差分画像作成手段と、
前記差分画像データに基づいて、前記画像形成手段によって前記記録材に形成された前記元画像における欠陥を検出する検出手段と
を含む印刷システム。
【請求項７】
前記画像形成手段は、前記原稿画像データのうち前記追加画像データに基づく前記追加画像を、前記記録材のうち前記元画像データに対応する前記元画像が形成される領域である枠内領域に形成することを特徴とする請求項６記載の印刷システム。
【請求項８】
前記追加手段は、第１の属性を有する第１追加画像データと、第２の属性を有する第２追加画像データとを、１つの前記元画像データに追加し、
前記画像形成手段は、前記原稿画像データのうち、
前記第１追加画像データに基づく第１追加画像を前記枠内領域に形成し、
前記第２追加画像データに基づく第２追加画像を前記元画像データに対応する前記元画像が形成されない枠外領域に形成し、
前記無効化手段は、前記読取画像データのうち、
前記枠内領域に存在する前記第１追加画像データに対応する画素の画素値を低減する処理を施し、
前記枠外領域に存在するすべての画素の画素値を一律に低減する処理を施すこと
を特徴とする請求項７記載の印刷システム。
【請求項９】
前記追加画像データは、前記枠内領域に特定の周期で分散して配置され、共通の特定の色を有するドットからなるという前記属性を有し、
前記無効化手段は、前記読取画像データのうち、前記枠内領域に存在する画素について、前記特定の色を有するドットに対応する画素の画素値を低減する処理を施すことを特徴とする請求項７記載の印刷システム。
【請求項１０】
前記特定の色は、イエローであり、
前記画像形成手段は、シアン、マゼンタ、イエロー、黒の色材を用いて前記記録材に画像を形成し、
前記画像読取手段は、前記記録材に形成された画像を赤、緑、青の色で読み取り、
前記無効化手段は、前記読取画像データのうち、青のデータに対して無効化処理を施すこと
を特徴とする請求項９記載の印刷システム。
【請求項１１】
外部から入力された元画像データ各々に対し、特定の属性を有する追加画像データを作成し、当該元画像データに追加して原稿画像データを作成する追加手段と、
前記原稿画像データに基づいて、前記元画像データに対応する元画像と前記追加画像データに対応する追加画像とを含む原稿画像を記録材に形成する画像形成手段と、
前記画像形成手段によって前記記録材に形成された画像を読み取って読取画像データを作成する画像読取手段と、
前記元画像データと前記読取画像データとの差分をとることにより差分画像データを作成する差分画像作成手段と、
前記差分画像データに対し、前記属性に基づいて前記追加画像データに起因する差分を無効化する修正を施して、修正後差分画像データを作成する無効化手段と、
前記修正後差分画像データを出力する出力手段と
を含む画像形成装置。
【請求項１２】
外部から入力された元画像データ各々に対し、特定の属性を有する追加画像データを作成し、当該元画像データに追加して原稿画像データを作成する追加手段と、
前記原稿画像データに基づいて、前記元画像データに対応する元画像と前記追加画像データに対応する追加画像とを含む原稿画像を記録材に形成する画像形成手段と、
前記画像形成手段によって前記記録材に形成された画像を読み取って読取画像データを作成する画像読取手段と、
前記読取画像データに対し、前記属性に基づいて前記追加画像データに起因する差分を無効化する修正を施して、修正後読取画像データを作成する無効化手段と、
前記修正後読取画像データと前記元画像データとを出力する出力手段と
を含む画像形成装置。
【発明の詳細な説明】
【技術分野】
【０００１】
本発明は、印刷システムおよび画像形成装置に関する。
【背景技術】
【０００２】
公報記載の従来技術として、記録材に画像を印刷した後、この印刷物に印刷された画像を読み取ることで得られた読取画像のデータと、この読取画像の基準となる印刷物のマスタ画像（基準画像）のデータとの比較・照合を行い、印刷物における画像の欠陥を検出するものが存在する（特許文献１参照）。
【０００３】
また、他の公報記載の従来技術として、フルカラー画像信号を電気的に処理し出力画像信号を得る画像形成装置において、この出力信号に、特定パターン(装置固有の認識番号や符号、装置の製造日付等を含むコード画像)を付加するものが存在する（特許文献２参照）。
【先行技術文献】
【特許文献】
【０００４】
【特許文献１】特開２００７−３３２４７号公報
【特許文献２】特開平４−２９４６８２号公報
【発明の概要】
【発明が解決しようとする課題】
【０００５】
本発明は、元画像と元画像とは別個に作成された追加画像とを含む原稿画像を印刷する場合に、記録材に形成された元画像の検査の精度を担保することを目的とする。
【課題を解決するための手段】
【０００６】
請求項１記載の発明は、外部から入力された元画像データ各々に対し、特定の属性を有する追加画像データを作成し、当該元画像データに追加して原稿画像データを作成する追加手段と、前記原稿画像データに基づいて、前記元画像データに対応する元画像と前記追加画像データに対応する追加画像とを含む原稿画像を記録材に形成する画像形成手段と、前記画像形成手段によって前記記録材に形成された画像を読み取って読取画像データを作成する画像読取手段と、前記元画像データと前記読取画像データとの差分をとることにより差分画像データを作成する差分画像作成手段と、前記差分画像データに対し、前記属性に基づいて前記追加画像データに起因する差分を無効化する修正を施して、修正後差分画像データを作成する無効化手段と、前記修正後差分画像データに基づいて、前記画像形成手段によって前記記録材に形成された前記元画像における欠陥を検出する検出手段とを含む印刷システムである。
【０００７】
請求項２記載の発明は、前記画像形成手段は、前記原稿画像データのうち前記追加画像データに基づく前記追加画像を、前記記録材のうち前記元画像データに対応する前記元画像が形成される領域である枠内領域に形成することを特徴とする請求項１記載の印刷システムである。
請求項３記載の発明は、前記追加手段は、第１の属性を有する第１追加画像データと、第２の属性を有する第２追加画像データとを、１つの前記元画像データに追加し、前記画像形成手段は、前記原稿画像データのうち、前記第１追加画像データに基づく第１追加画像を前記枠内領域に形成し、前記第２追加画像データに基づく第２追加画像を前記元画像データに対応する前記元画像が形成されない枠外領域に形成し、前記無効化手段は、前記差分画像データのうち、前記枠内領域に存在する前記第１追加画像データに対応する画素の画素値を低減する処理を施し、前記枠外領域に存在するすべての画素の画素値を一律に低減する処理を施すことを特徴とする請求項２記載の印刷システムである。
請求項４記載の発明は、前記追加画像データは、前記枠内領域に特定の周期で分散して配置され、共通の特定の色を有するドットからなるという前記属性を有し、前記無効化手段は、前記差分画像データのうち、前記枠内領域に存在する画素について、前記特定の色を有するドットに対応する画素の画素値を低減する処理を施すことを特徴とする請求項２記載の印刷システムである。
請求項５記載の発明は、前記特定の色は、イエローであり、前記画像形成手段は、シアン、マゼンタ、イエロー、黒の色材を用いて前記記録材に画像を形成し、前記画像読取手段は、前記記録材に形成された画像を赤、緑、青の色で読み取り、前記無効化手段は、前記差分画像データのうち、青のデータに対して無効化処理を施すことを特徴とする請求項４記載の印刷システムである。
【０００８】
請求項６記載の発明は、外部から入力された元画像データ各々に対し、特定の属性を有する追加画像データを作成し、当該元画像データに追加して原稿画像データを作成する追加手段と、前記原稿画像データに基づいて、前記元画像データに対応する元画像と前記追加画像データに対応する追加画像とを含む原稿画像を記録材に形成する画像形成手段と、前記画像形成手段によって前記記録材に形成された画像を読み取って読取画像データを作成する画像読取手段と、前記読取画像データに対し、前記属性に基づいて前記追加画像データに起因する差分を無効化する修正を施して、修正後読取画像データを作成する無効化手段と、前記元画像データと前記修正後読取画像データとの差分をとることにより差分画像データを作成する差分画像作成手段と、前記差分画像データに基づいて、前記画像形成手段によって前記記録材に形成された前記元画像における欠陥を検出する検出手段とを含む印刷システムである。
【０００９】
請求項７記載の発明は、前記画像形成手段は、前記原稿画像データのうち前記追加画像データに基づく前記追加画像を、前記記録材のうち前記元画像データに対応する前記元画像が形成される領域である枠内領域に形成することを特徴とする請求項６記載の印刷システムである。
請求項８記載の発明は、前記追加手段は、第１の属性を有する第１追加画像データと、第２の属性を有する第２追加画像データとを、１つの前記元画像データに追加し、前記画像形成手段は、前記原稿画像データのうち、前記第１追加画像データに基づく第１追加画像を前記枠内領域に形成し、前記第２追加画像データに基づく第２追加画像を前記元画像データに対応する前記元画像が形成されない枠外領域に形成し、前記無効化手段は、前記読取画像データのうち、前記枠内領域に存在する前記第１追加画像データに対応する画素の画素値を低減する処理を施し、前記枠外領域に存在するすべての画素の画素値を一律に低減する処理を施すことを特徴とする請求項７記載の印刷システムである。
請求項９記載の発明は、前記追加画像データは、前記枠内領域に特定の周期で分散して配置され、共通の特定の色を有するドットからなるという前記属性を有し、前記無効化手段は、前記読取画像データのうち、前記枠内領域に存在する画素について、前記特定の色を有するドットに対応する画素の画素値を低減する処理を施すことを特徴とする請求項７記載の印刷システムである。
請求項１０記載の発明は、前記特定の色は、イエローであり、前記画像形成手段は、シアン、マゼンタ、イエロー、黒の色材を用いて前記記録材に画像を形成し、前記画像読取手段は、前記記録材に形成された画像を赤、緑、青の色で読み取り、前記無効化手段は、前記読取画像データのうち、青のデータに対して無効化処理を施すことを特徴とする請求項９記載の印刷システムである。
【００１０】
請求項１１記載の発明は、外部から入力された元画像データ各々に対し、特定の属性を有する追加画像データを作成し、当該元画像データに追加して原稿画像データを作成する追加手段と、前記原稿画像データに基づいて、前記元画像データに対応する元画像と前記追加画像データに対応する追加画像とを含む原稿画像を記録材に形成する画像形成手段と、前記画像形成手段によって前記記録材に形成された画像を読み取って読取画像データを作成する画像読取手段と、前記元画像データと前記読取画像データとの差分をとることにより差分画像データを作成する差分画像作成手段と、前記差分画像データに対し、前記属性に基づいて前記追加画像データに起因する差分を無効化する修正を施して、修正後差分画像データを作成する無効化手段と、前記修正後差分画像データを出力する出力手段とを含む画像形成装置である。
【００１１】
請求項１２記載の発明は、外部から入力された元画像データ各々に対し、特定の属性を有する追加画像データを作成し、当該元画像データに追加して原稿画像データを作成する追加手段と、前記原稿画像データに基づいて、前記元画像データに対応する元画像と前記追加画像データに対応する追加画像とを含む原稿画像を記録材に形成する画像形成手段と、前記画像形成手段によって前記記録材に形成された画像を読み取って読取画像データを作成する画像読取手段と、前記読取画像データに対し、前記属性に基づいて前記追加画像データに起因する差分を無効化する修正を施して、修正後読取画像データを作成する無効化手段と、前記修正後読取画像データと前記元画像データとを出力する出力手段とを含む画像形成装置である。
【発明の効果】
【００１２】
請求項１記載の発明によれば、本構成を有していない場合と比較して、元画像と元画像とは別個に作成された追加画像とを含む原稿画像を印刷する場合に、記録材に形成された元画像の検査の精度を担保することができる。
請求項２記載の発明によれば、本構成を有していない場合と比較して、枠内領域に形成された追加画像に起因する差分を欠陥として検出することを防ぐことができる。
請求項３記載の発明によれば、本構成を有していない場合と比較して、追加画像のうち、元画像が形成される枠内領域に形成されるものについては、元画像を残しつつ取り除くことが可能となり、元画像が形成されない枠外領域に形成されるものについては、確実に取り除くことができる。
請求項４記載の発明によれば、本構成を有しない場合と比較して、元画像が形成される枠内領域に形成される追加画像について、より容易に取り除くことができる。
請求項５記載の発明によれば、本構成を有しない場合と比較して、元画像が形成される枠内領域に形成される追加画像について、より容易に取り除くことができる。
請求項６記載の発明によれば、本構成を有していない場合と比較して、元画像と元画像とは別個に作成された追加画像とを含む原稿画像を印刷する場合に、記録材に形成された元画像の検査の精度を担保することができる。
請求項７記載の発明によれば、本構成を有していない場合と比較して、枠内領域に形成された追加画像に起因する差分を欠陥として検出することを防ぐことができる。
請求項８記載の発明によれば、本構成を有していない場合と比較して、追加画像のうち、元画像が形成される枠内領域に形成されるものについては、元画像を残しつつ取り除くことが可能となり、元画像が形成されない枠外領域に形成されるものについては、確実に取り除くことができる。
請求項９記載の発明によれば、本構成を有しない場合と比較して、元画像が形成される枠内領域に形成される追加画像について、より容易に取り除くことができる。
請求項１０記載の発明によれば、本構成を有しない場合と比較して、元画像が形成される枠内領域に形成される追加画像について、より容易に取り除くことができる。
請求項１１記載の発明によれば、本構成を有していない場合と比較して、元画像と元画像とは別個に作成された追加画像とを含む原稿画像を印刷する場合に、記録材に形成された元画像の検査の精度を担保することが可能になる。
請求項１２記載の発明によれば、本構成を有していない場合と比較して、元画像と元画像とは別個に作成された追加画像とを含む原稿画像を印刷する場合に、記録材に形成された元画像の検査の精度を担保することが可能になる。
【図面の簡単な説明】
【００１３】
【図１】印刷システムの構成を示す図である。
【図２】印刷装置の構成を示す図である。
【図３】設定装置の機能構成を示すブロック図である。
【図４】実施の形態１における印刷装置の機能構成を示すブロック図である。
【図５】実施の形態１における検査装置の機能構成を示すブロック図である。
【図６】元画像および追加画像（枠内追加画像）と、原稿画像との関係を説明するための概念図である。
【図７】元画像および他の追加画像（枠外追加画像）と、原稿画像との関係を説明するための概念図である。
【図８】枠内追加画像の構成例を示す図である。
【図９】印刷装置に設けられた差分画像修正部の機能ブロック図である。
【図１０】実施の形態１の印刷システムによる印刷および検査の手順を説明するための図である。
【図１１】実施の形態１において、読取画像データおよび照合用元画像データから修正後差分画像データを作成する手順を説明するための図である。
【図１２】実施の形態２における印刷装置の機能構成を示すブロック図である。
【図１３】実施の形態２における検査装置の機能構成を示すブロック図である。
【図１４】実施の形態２の印刷システムによる印刷および検査の手順を説明するための図である。
【図１５】実施の形態２において、読取画像データおよび照合用元画像データから差分画像データを作成する手順を説明するための図である。
【発明を実施するための形態】
【００１４】
以下、添付図面を参照して、本発明の実施の形態について詳細に説明する。
＜実施の形態１＞
図１は、本実施の形態が適用される印刷システムの構成を示す図である。
本実施の形態の印刷システムは、用紙に画像を印刷する印刷装置１と、印刷装置１において印刷すべき画像データ（元画像データ）とその印刷条件とを設定する設定装置２と、印刷装置１によって用紙に印刷された画像（印刷画像）の内容を検査する検査装置３と、これら印刷装置１、設定装置２および検査装置３を相互に接続するネットワーク４とを備えている。
【００１５】
図２は、印刷装置１の構成を示す図である。本実施の形態の印刷装置１は、電子写真方式にて画像の印刷を行う、無版式印刷装置である。
この印刷装置１は、所謂タンデム型の構成を有するものであって、電子写真方式により各色成分のトナー像を形成する複数の画像形成ユニット１０Ｙ、１０Ｍ、１０Ｃ、１０Ｋを備えている。また、印刷装置１は、ＣＰＵ（Central Processing Unit）、ＲＯＭ（Read Only Memory）、ＲＡＭ（Random Access Memory）などを含んで構成され、印刷装置１を構成する各装置および各部の動作（画像処理を含む）を制御する制御部１００を備えている。ここで、複数の画像形成ユニット１０Ｙ、１０Ｍ、１０Ｃ、１０Ｋは、それぞれ、イエロー、マゼンタ、シアン、黒の画像を形成する。
【００１６】
また、印刷装置１は、各画像形成ユニット１０Ｙ、１０Ｍ、１０Ｃ、１０Ｋにて形成された各色成分トナー像が順次転写（一次転写）されるとともにこのトナー像を保持する中間転写ベルト２０と、中間転写ベルト２０上のトナー像を矩形状に形成された記録材の一例としての用紙Ｐに一括転写（二次転写）する二次転写装置３０とを備えている。
【００１７】
ここで、複数の画像形成ユニット１０Ｙ、１０Ｍ、１０Ｃ、１０Ｋの各々は、回転可能に取り付けられた感光体ドラム１１を備えている。また、画像形成ユニット１０Ｙ、１０Ｍ、１０Ｃ、１０Ｋの各々において、感光体ドラム１１の周囲には、感光体ドラム１１を帯電する帯電装置１２、感光体ドラム１１を露光して静電潜像を書き込む露光装置１３、感光体ドラム１１上の静電潜像を対応する色のトナーにより可視像化する現像装置１４が設けられている。さらに、画像形成ユニット１０Ｙ、１０Ｍ、１０Ｃ、１０Ｋの各々には、感光体ドラム１１上に形成された各色成分トナー像を中間転写ベルト２０に転写する一次転写装置１５、感光体ドラム１１上の残留トナーを除去するドラム清掃装置１６が設けられている。
【００１８】
次に、中間転写ベルト２０は、それぞれが回転可能に設けられた３本のロール部材２１〜２３に掛け渡され、回転するように設けられている。これら３本のロール部材２１〜２３のうち、ロール部材２２は、中間転写ベルト２０を駆動する。また、ロール部材２３は、中間転写ベルト２０を挟んで二次転写ロール３１に対向配置されており、これら二次転写ロール３１およびロール部材２３によって二次転写装置３０が構成されている。なお、中間転写ベルト２０を挟んでロール部材２１と対向する位置には、中間転写ベルト２０上の残留トナーを除去するベルト清掃装置２４が設けられている。
【００１９】
また、印刷装置１には、二次転写装置３０に向けて搬送される用紙Ｐが通過する第１搬送経路Ｒ１、二次転写装置３０を通過した後の用紙Ｐが通過する第２搬送経路Ｒ２、定着装置５０（後述）よりも下流側にて第２搬送経路Ｒ２から分岐するとともに第１搬送経路Ｒ１の下方まで延び、用紙Ｐを再び第１搬送経路Ｒ１に導く第３搬送経路Ｒ３が設けられている。なお、第２搬送経路Ｒ２に沿って搬送されてきた用紙Ｐのうち、第３搬送経路Ｒ３に導かれないものは、印刷装置１の外部に排出され、図示しない用紙積載部に積載される。
【００２０】
また、印刷装置１は、これら第１搬送経路Ｒ１、第２搬送経路Ｒ２および第３搬送経路Ｒ３に沿って用紙Ｐを搬送する用紙搬送部４０を有している。この用紙搬送部４０は、第１搬送経路Ｒ１に用紙Ｐを供給する第１用紙供給装置４０Ａと、第１用紙供給装置４０Ａよりも用紙Ｐの搬送方向における下流側に設けられ、第１搬送経路Ｒ１に用紙Ｐを供給する第２用紙供給装置４０Ｂとを備えている。なお、第１用紙供給装置４０Ａおよび第２用紙供給装置４０Ｂは同じ構造を有しており、第１用紙供給装置４０Ａおよび第２用紙供給装置４０Ｂの各々には、用紙Ｐを収容する用紙収容部４１、用紙収容部４１に収容された用紙Ｐを取り出して搬送する取り出しロール４２が設けられている。ここで、第１用紙供給装置４０Ａおよび第２用紙供給装置４０Ｂには、異なるサイズおよび向きや異なる種別の用紙Ｐが収容され得る。
【００２１】
さらに、用紙搬送部４０は、第１搬送経路Ｒ１、第２搬送経路Ｒ２および第３搬送経路Ｒ３のそれぞれにおいて用紙Ｐを挟んで搬送する複数の搬送ロール４３を備えている。さらにまた、用紙搬送部４０は、第２搬送経路Ｒ２において、二次転写装置３０を通過した用紙Ｐを定着装置５０側へと搬送するベルト搬送部４４を備えている。
【００２２】
また、印刷装置１は、第２搬送経路Ｒ２上に、二次転写装置３０により用紙Ｐ上に二次転写された画像をこの用紙Ｐに定着させる定着装置５０をさらに備えている。この定着装置５０は、内蔵されたヒータ（不図示）により加熱される加熱ロール５０Ａと、加熱ロール５０Ａを押圧する押圧ロール５０Ｂとを有している。そして、この定着装置５０では、加熱ロール５０Ａと押圧ロール５０Ｂとの間を用紙Ｐが通過することで、用紙Ｐが加熱および加圧され、用紙Ｐ上の画像が用紙Ｐに定着される。
【００２３】
なお、以下の説明においては、上述した画像形成ユニット１０Ｙ、１０Ｍ、１０Ｃ、１０Ｋ、中間転写ベルト２０、二次転写装置３０、用紙搬送部４０および定着装置５０を、まとめて画像形成部１０と呼ぶ。本実施の形態の画像形成部１０は、画像形成手段の一例としての機能を有している。
【００２４】
本実施の形態の印刷装置１では、第１用紙供給装置４０Ａ等から供給された用紙Ｐの第１面に画像を印刷することができるのに加え、用紙Ｐの第２面に画像を印刷することができるようになっている。より具体的に説明すると、この印刷装置１では、第１面に画像が転写された後に定着装置５０を通過した用紙Ｐの表裏が、第３搬送経路Ｒ３を介して搬送されることで反転され、表裏が反転された用紙Ｐが再度二次転写装置３０へと供給される。そして、二次転写装置３０にて用紙Ｐの第２面に対して画像が転写される。その後、この用紙Ｐは定着装置５０を再び通過し、転写されたこの画像は用紙Ｐに定着される。これにより、用紙Ｐの第１面のみならず、第２面にも画像が形成されるようになる。
【００２５】
そして、本実施の形態の印刷装置１には、第２搬送経路Ｒ２のうち、定着装置５０よりも用紙Ｐの搬送方向下流側であって、第２搬送経路Ｒ２と第３搬送経路Ｒ３との分岐部よりも用紙Ｐの搬送方向上流側に、二次転写および定着を経て用紙Ｐに印刷された画像を読み取る画像読取部７０が設けられている。読取手段の一例としての画像読取部７０は、二次転写装置３０を通過する用紙Ｐのうち、中間転写ベルト２０と対向する側の面、すなわち、直前に画像の二次転写が行われた面の画像を読み取るように構成されている。ここで、画像読取部７０は、例えば用紙Ｐの搬送方向と交差する方向に配置された、赤（Ｒ）、緑（Ｇ）および青（Ｂ）の画像を読み取る３本のラインセンサ（図示せず）を有しており、各ラインセンサは、搬送されてくる用紙Ｐの一方の面を、１ライン分ずつ読み取るようになっている。ただし、画像読取部７０については、これに限られるものではなく、ＲＧＢ各色を読み取る二次元のエリアセンサで構成してもかまわない。
【００２６】
図３は、図１に示す設定装置２の機能構成を示すブロック図である。本実施の形態の設定装置２は、ＣＰＵ（Central Processing Unit）、ＲＯＭ（Read Only Memory）、ＲＡＭ（Random Access Memory）などを含むコンピュータ装置によって構成されている。ここで、設定装置２は、１回の指示に基づいて１または複数の用紙Ｐに画像を連続印刷して出力するジョブの実行に際して、印刷装置１に入力するためのデータ処理を行うＤＦＥ（Digital Front End）と呼ばれるものである。
この設定装置２は、元画像作成部２０１と、ユーザインタフェース（ＵＩ）２０２と、送受信部２０３とを備えている。
【００２７】
元画像作成部２０１は、外部から入力されてくる入力画像データに基づいて、印刷装置１にて解釈が可能な『元画像データ』を作成する。
【００２８】
ＵＩ２０２は、上記元画像データに基づく印刷を印刷装置１で実行するにあたって、印刷に要求される各種設定の入力を受け付ける。ここで、ＵＩ２０２を介して受け付ける設定としては、例えば元画像データを定義するための色空間や、元画像データに基づく印刷を実行する際の解像度などが挙げられる。ただし、色空間や解像度の情報が、既に入力画像データに含まれている場合もある。なお、以下の説明においては、元画像データの色空間を『設定色空間』と呼び、元画像データの解像度を『設定解像度』と呼ぶ。この例において、設定色空間はＣＭＹＫ色空間にて定義される。また、ＵＩ２０２は、ネットワーク４を介して、図１に示す印刷装置１や検査装置３から送られてきたデータに基づく画像を、図示しないディスプレイに表示する。
【００２９】
送受信部２０３は、図１に示す印刷装置１や検査装置３との間で、ネットワーク４を介して、各種データの送受信を行う。
【００３０】
図４は、本実施の形態における印刷装置１の機能構成を示すブロック図である。
本実施の形態の印刷装置１は、用紙Ｐに画像を印刷する画像形成部１０と、用紙Ｐ上の印刷画像を読み取る画像読取部７０と、ユーザによる画像形成の実行・中止の指示や追加画像（詳細は後述する）の作成の有無等を受け付けるユーザインタフェース（ＵＩ）８０と、これら画像形成部１０、画像読取部７０およびＵＩ８０を制御する制御部１００とを有している。また、制御部１００は、送受信部１０１と、追加画像作成部１０２と、画像重畳部１０３と、照合用元画像作成部１０４と、画像照合部１０５と、差分画像修正部１０６とを備えている。
【００３１】
送受信部１０１は、図１に示す設定装置２や検査装置３との間で、ネットワーク４を介して、各種データの送受信を行う。
【００３２】
追加画像作成部１０２は、設定装置２から送受信部１０１を介して入力されてくる元画像データに対応して、この元画像データとともに用紙Ｐ上に印刷する『追加画像データ』を作成する。ここで、追加画像作成部１０２は、追加画像データを作成するに際して、追加画像データの色空間を上述した設定色空間に設定し、追加画像データの解像度を上述した設定解像度に設定する。なお、追加画像データの詳細については後述する。
【００３３】
画像重畳部１０３は、設定装置２から送受信部１０１を介して入力されてくる元画像データと、追加画像作成部１０２で作成された追加画像データとを、頁毎に重畳（合成）することによって、『原稿画像データ』を作成する。本実施の形態において、原稿画像データの色空間（『出力色空間』と呼ぶ）は、設定色空間（ＣＭＹＫ色空間）と同じである。これは、画像形成部１０で使用する色材がＣＭＹＫの４色であることによる。なお、元画像データおよび追加画像データが定義される設定色空間と、画像形成部１０で使用する色材の組み合わせとが異なる場合には、画像重畳部１０３において原稿画像データを作成する際に、元画像データおよび追加画像データの重畳とともに、画像形成部１０の色材に合わせた色変換（設定色空間から出力色空間への変換）が行われることになる。また、画像重畳部１０３は、元画像データおよび追加画像データから原稿画像データを作成するに際して、元画像データおよび追加画像データの設定解像度をそのまま、『出力解像度』として使用する。ただし、出力解像度を、設定解像度とは異ならせる設定を行ってもかまわない。
なお、本実施の形態では、追加画像作成部１０２および画像重畳部１０３の両者が、追加手段として機能している。
【００３４】
画像形成部１０は、画像重畳部１０３で作成された原稿画像データを用い、設定色空間および設定解像度に基づく画像（印刷画像）を、用紙Ｐに印刷する。
【００３５】
画像読取部７０は、３本のラインセンサを用いて、用紙Ｐ上の印刷画像を読み取る。そして、画像読取部７０は、各ラインセンサから入力されてくる読み取り結果に基づき、『読取画像データ』を作成する。ここで、画像読取部７０は、印刷画像の読取結果から読取画像データを作成するに際して、読取画像データの色空間を、各ラインセンサの読取色に対応する色空間（『入力色空間』と呼ぶ）に設定する。なお、この例において、入力色空間は、画像読取部７０を構成する各ラインセンサの色（この例では赤、緑、青）に対応するＲＧＢ色空間にて定義される。また、画像読取部７０は、印刷画像の読取結果から読取画像データを作成するに際して、読取結果に基づく解像度（『入力解像度』）を設定する。なお、入力解像度は、各ラインセンサを構成する複数のセンサの配列間隔、各ラインセンサにおける読取周期、さらには用紙Ｐの搬送速度等によって決まるものであり、出力解像度と同じ値となることもあるし、出力解像度とは異なる値となることもある。
【００３６】
照合用元画像作成部１０４は、設定装置２から送受信部１０１を介して入力されてくる元画像データに基づき、画像照合部１０５での照合に用いるための基準となる、『照合用元画像データ』を作成する。ここで、照合用元画像作成部１０４は、元画像データから照合用元画像データを作成するに際して、元画像データの設定色空間を、画像照合部１０５での照合に対応する色空間（『検査色空間』と呼ぶ）に変換する。なお、この例において、検査色空間は、上述した入力色空間と同じＲＧＢ色空間にて定義される。また、照合用元画像作成部１０４は、元画像データから照合用元画像データを作成するに際して、設定解像度を、必要に応じて、画像照合部１０５での照合に対応する解像度（『検査解像度』と呼ぶ）に変換する。なお、検査解像度は、画像形成部１０における出力解像度と画像読取部７０における入力解像度との関係に基づいて決まり、この例においては、上述した入力解像度と同じ値に設定される。
【００３７】
差分画像作成手段の一例としての画像照合部１０５は、同じ元画像データに基づいて、照合用元画像作成部１０４で作成された照合用元画像データと、画像読取部７０で作成された読取画像データとを用い、両者を照合することによって『差分画像データ』を作成する。なお、この例では、同じ元画像データに基づいて得られた照合用元画像データと読取画像データとに基づき、画素毎に両者の画素値の差分を演算することによって差分画像データを作成している。そして、この例では、照合用元画像データおよび読取画像データが検査色空間で定義されるとともに検査解像度で作成されているために、差分画像データも、検査色空間で定義されるとともに検査解像度にて作成される。
【００３８】
無効化手段の一例としての差分画像修正部１０６は、画像照合部１０５から入力されてくる差分画像データに対し、元画像データに追加画像データが追加されたことに起因して、用紙Ｐ上の印刷画像中に存在することとなった追加画像の画素成分を、差分画像データから取り除くための修正を行うことで、『修正後差分画像データ』を作成する。なお、この例では、差分画像データが検査色空間で定義されるとともに検査解像度で作成されているために、修正後差分画像データも、検査色空間で定義されるとともに検査解像度にて作成される。検査の目的は、外部から入力した元画像データに基づいて元画像が用紙Ｐに欠陥なく印刷されているかを知ることにあるため、検査装置３は印刷装置側が作成した追加画像について、欠陥を検出する必要はない。よって、本実施の形態では、上述のようにして得られた修正後差分画像データが、出力手段の一例としての送受信部１０１を介して検査装置３に送られる。
【００３９】
図５は、図１に示す検査装置３の機能構成を示すブロック図である。本実施の形態の検査装置３は、ＣＰＵ（Central Processing Unit）、ＲＯＭ（Read Only Memory）、ＲＡＭ（Random Access Memory）などを含むコンピュータ装置によって構成されている。この検査装置３は、印刷装置１によって用紙Ｐに印刷された印刷画像における画像欠陥の有無を検査するものである。
本実施の形態の検査装置３は、送受信部３０１と、画像欠陥判定部３０３とを有している。
【００４０】
送受信部３０１は、図１に示す印刷装置１や設定装置２との間で、ネットワーク４を介して、各種データの送受信を行う。
【００４１】
検出手段の一例としての画像欠陥判定部３０３は、印刷装置１から送受信部３０１を介して入力されてくる修正後差分画像データに基づいて、用紙Ｐに印刷された印刷画像における画像欠陥の有無を判定する。なお、この判定結果は、送受信部３０１を介して設定装置２に送られる。
【００４２】
次に、本実施の形態の印刷装置１で用いられる、元画像データ、追加画像データおよび原稿画像データの関係について説明する。
図６および図７は、元画像および追加画像と、これらを重畳して得られる原稿画像との関係を説明するための概念図である。ここで、図６は追加画像として枠内追加画像（詳細は後述する）が追加される場合を、図７は追加画像として枠外追加画像（詳細は後述する）が追加される場合を、それぞれ例示している。
【００４３】
各画像の相関を説明する前に、まず、図６および図７を参照しつつ、用紙Ｐ上における画像の印刷領域について説明しておく。本実施の形態の印刷装置１では、画像形成部１０によって用紙Ｐ上に画像の印刷を行うが、その際、元画像データに基づく画像は、用紙Ｐにおける四辺の縁を除く中央側の領域に印刷される。なお、以下の説明においては、用紙Ｐ上において元画像データに基づく画像が印刷され得る領域の外縁を、設定枠Ｆ（図中に破線で示す）と呼ぶ。また、用紙Ｐ上において、設定枠Ｆの内側すなわち元画像データに基づく画像が印刷され得る領域を枠内領域Ａｉと呼び、設定枠Ｆの外側すなわち元画像データに基づく画像が印刷され得ない領域を枠外領域Ａｏと呼ぶ。ここで、元画像は、上述したようにＣＭＹＫ各色の色材を用いて印刷され得るが、図６および図７に示す例において、元画像（「あいうえお」の文字画像）は、Ｋの色材を用いて印刷される。
【００４４】
これに対し、追加画像データに基づく画像は、枠内領域Ａｉおよび枠外領域Ａｏの両者に対して印刷され得る。そして、追加画像のうち、枠内領域Ａｉに印刷されるものが図６に示す枠内追加画像となり、枠外領域Ａｏに印刷されるものが図７に示す枠外追加画像となる。
【００４５】
したがって、元画像と追加画像とを重畳して得られる原稿画像においては、枠内領域Ａｉに元画像および枠内追加画像が存在し得ることになり、また、枠外領域Ａｏに枠外追加画像が存在し得ることになる。
【００４６】
ここで、第１追加画像の一例としての枠内追加画像は、例えば、得られた印刷物の出所を特定するためのコード情報を含んだコード画像にて構成される。コード画像は、あとからセンサで読み取られることでコード画像として識別可能なように、特定の属性を有している。なお、図６に示す例においては、枠内追加画像（コード画像）は、Ｙの色材を用いて枠内に予め定められた周期で印刷されるという属性を有している。
【００４７】
一方、第２追加画像の一例としての枠外追加画像は、例えば、印刷および製本の過程において、作業上必要となる目印画像にて構成される。目印画像は、印刷の後工程に設けられた各種センサで読み取られる必要があるから、枠外の特定の位置に作成される。つまり、枠外追加画像は、枠外の特定の位置に印刷されるという属性を有している。このような目印画像としては、トンボ、色玉（カラーバー、カラーパッチ）が挙げられる。また、目印画像として、印刷および製本の過程での管理において使用するＱＲコード（株式会社デンソーウェーブの登録商標）やバーコードなども挙げられる。なお、本実施の形態において、枠外追加画像（目印画像）は、ＣＭＹＫ各色の色材を用いて印刷される。
【００４８】
そして、本実施の形態の場合、印刷後の用紙Ｐは、各種後工程を経た後、設定枠Ｆに沿って（あるいは設定枠Ｆに基づいて印刷された角トンボを基準として）裁断される。このため、裁断後においては、用紙Ｐ上の枠内領域Ａｉのみが残り、枠外領域Ａｏは取り除かれる。
【００４９】
図８は、図６に示す枠内追加画像の構成例を示す図である。
本実施の形態では、上述したように、枠内追加画像が、印刷物の出所を特定するためのコード画像で構成される。そして、この例において、枠内追加画像は、目視での認識が困難なＹの色材を、付与されるコード情報に応じて配置したドット画像で構成される。例えば画像形成部１０の出力解像度が６００ｄｐｉ（dot per inch）の場合、枠内追加画像を構成する各ドット画像は、１ｄｏｔを単位として配置される。このとき、各ドット画像の大きさは、約４２．３μｍとなる。
【００５０】
図９は、図４に示す印刷装置１に設けられた差分画像修正部１０６の機能ブロック図である。
本実施の形態の差分画像修正部１０６は、画像分離部１０６１と、枠内画像修正部１０６２と、枠外画像修正部１０６３と、画像合成部１０６４とを備えている。
【００５１】
画像分離部１０６１は、画像照合部１０５から入力されてくる差分画像データを、この差分画像データの元となる元画像データにおける設定枠Ｆ（図６、図７参照）の情報に基づき、枠内差分画像データと枠外差分画像データとに分離する。
【００５２】
枠内画像修正部１０６２は、画像分離部１０６１で分離された枠内差分画像データに対し、元画像に追加画像（枠内追加画像）が追加されたことに起因して、用紙Ｐ上の印刷画像中に存在することとなった枠内追加画像の画素成分を、枠内差分画像データから取り除くための修正を行うことで、修正後枠内差分画像データを作成する。
【００５３】
枠外画像修正部１０６３は、画像分離部１０６１で分離された枠外差分画像データに対し、元画像に追加画像（枠外追加画像）が追加されたことに起因して、用紙Ｐ上の印刷画像中に存在することとなった枠外追加画像の画素成分を、枠外差分画像データから取り除くための修正を行うことで、修正後枠外差分画像データを作成する。
【００５４】
画像合成部１０６４は、枠内画像修正部１０６２で作成された修正後枠内差分画像データと、枠外画像修正部１０６３で作成された修正後枠外差分画像データとを合成して修正後差分画像データを作成し、送受信部１０１（図４参照）へと出力する。
なお、本実施の形態では、枠内画像修正部１０６２と枠外画像修正部１０６３とで、画像データの修正手法が異なっているのであるが、このことについては後述する。
【００５５】
図１０は、本実施の形態の印刷システムによる印刷および検査の手順を説明するための図である。以下では、図１０にしたがって、印刷システムを構成する各装置の動作および各装置間でのデータのやりとりについて説明を行う。
【００５６】
設定装置２（図示せず）で作成された元画像データ（設定色空間（この例ではＣＭＹＫ）、設定解像度）が、印刷装置１の画像重畳部１０３に入力される。また、印刷装置１の追加画像作成部１０２（図示せず）が、この元画像データに対応する追加画像データ（ＣＭＹＫ、設定解像度）を作成し、画像重畳部１０３に出力する。ここで、追加画像データのうち、枠内追加画像データは、ＵＩ８０等を介したユーザからの作成の指示を受け付けることなく、画像作成部１０２が自動的に作成する一方、枠外追加画像データは、ＵＩ８０等を介したユーザからの指示を受けて画像作成部１０２が作成する。画像重畳部１０３は、入力されてきた元画像データと追加画像データとを重畳し、原稿画像データ（出力色空間（この例ではＣＭＹＫ）、出力解像度）を作成する。また、同じ元画像データ（ＣＭＹＫ、設定色空間）が、印刷装置１の照合用元画像作成部１０４に入力される。これに伴い、照合用元画像作成部１０４は、元画像データ（ＣＭＹＫ、設定色空間）に基づく照合用元画像データ（検査色空間（この例ではＲＧＢ）、検査解像度）を作成する。
【００５７】
また、印刷装置１では、画像重畳部１０３で作成された印刷画像データ（ＣＭＹＫ、出力解像度）が、画像形成部１０に入力される。これに伴い、画像形成部１０が、ＣＭＹＫの各色を含む画像を用紙Ｐに印刷する。続いて、この用紙Ｐ上の印刷画像を、印刷装置１に設けられた画像読取部７０が読み取る。そして、画像読取部７０は、３本のラインセンサを用いた読取結果に基づいて、読取画像データ（入力色空間（この例ではＲＧＢ）、入力解像度）を作成する。
【００５８】
そして、印刷装置１では、同じ元画像データ（ＣＭＹＫ、設定解像度）に基づいて得られた、読取画像データ（ＲＧＢ、入力解像度（この例では入力解像度＝検査解像度））および照合用元画像データ（ＲＧＢ、検査解像度）が、画像照合部１０５に入力される。これに伴い、画像照合部１０５は、これら読取画像データ（ＲＧＢ、検査解像度）と照合用元画像データ（ＲＧＢ、検査解像度）とを用いて、二次元座標上で同一位置にある画素毎に画素値同士の差分を演算し、得られた差分をそれぞれの画素値とする差分画像データ（ＲＧＢ、検査解像度）を作成する。
【００５９】
続いて、印刷装置１では、同じ元画像データ（ＣＭＹＫ、設定解像度）に基づいて得られた差分画像データ（ＲＧＢ、検査解像度）が、差分画像修正部１０６に入力される。これに伴い、差分画像修正部１０６は、差分画像データ（ＲＧＢ、検査解像度）に対し、元画像データに追加画像データが追加されたことに起因して、用紙Ｐ上の印刷画像中に存在することとなった追加画像の画素成分を、差分画像データから取り除くための修正を行い、修正後差分画像データ（ＲＧＢ、検査解像度）を作成する。なお、差分画像修正部１０６における処理の具体的な手順については後述する。
【００６０】
次に、検査装置３では、印刷装置１の差分画像修正部１０６から出力された修正後差分画像データが、画像欠陥判定部３０３に入力される。これに伴い、画像欠陥判定部３０３は、この修正後差分画像データに基づいて、用紙Ｐに印刷された印刷画像における画像欠陥の有無を判定する。なお、画像欠陥判定部３０３における画像欠陥の判定手法としては、例えば修正後差分画像データを構成する画素の画素値すなわち色差が、予め決められた基準値よりも大きい場合に、画像欠陥の発生を検出するやり方が挙げられる。ここで、画像欠陥の発生が検出された場合は、この判定結果が、設定装置２に送信される。そして、設定装置２では、ＵＩ２０２（図３参照）に、画像欠陥の発生を伝えるための画像が表示される。
【００６１】
図１１は、本実施の形態において、読取画像データおよび照合用元画像データから修正後差分画像データを作成する手順を説明するための図である。なお、以下では、図６および図７に示す「あいうえお」の文字画像が元画像となっており、且つ、図６に示す枠内追加画像（コード画像）および図７に示す枠外追加画像（目印画像）の両者を含むものが追加画像となっている場合を、例として説明を行う。
【００６２】
図１１（ａ）は、画像読取部７０で用紙Ｐ上の印刷画像を読み取って得られた読取画像データを示している。また、図１１（ｂ）は、この読取画像データと同じ元画像データに基づき、照合用元画像作成部１０４で得られた照合用元画像データを示している。これらのうち、図１１（ｂ）に示す照合用元画像データは、枠内領域Ａｉに「あいうえお」の文字画像を有している。これに対し、図１１（ａ）に示す読取画像データは、枠内領域Ａｉに「あいうえお」の文字画像と枠内追加画像データに基づく枠内追加画像（コード画像：図６参照）とを有しており、さらに、枠外領域Ａｏに枠外追加画像（目印画像：図７参照）を有している。
【００６３】
図１１（ｃ）は、図１１（ａ）に示す読取画像データと、図１１（ｂ）に示す照合用元画像データとに基づき、画像照合部１０５で作成された差分画像データを示している。この例においては、読取画像データおよび照合用元画像データの両者に、元画像（「あいうえお」の文字画像）が含まれているため、差分画像データには、元画像データの画素成分が存在しなくなる。一方、この例においては、読取画像データのみに追加画像（枠内追加画像および枠外追加画像）が存在するため、差分画像データには、追加画像データの画素成分が残ることになる。
【００６４】
図１１（ｄ）は、図１１（ｃ）に示す差分画像データを、図９に示す差分画像修正部１０６の画像分離部１０６１にて分離して得られた、枠内差分画像データを示している。また、図１１（ｅ）は、図１１（ｃ）に示す差分画像データを、図９に示す差分画像修正部１０６の画像分離部１０６１にて分離して得られた、枠外差分画像データを示している。このとき、図１１（ｄ）に示す枠内差分画像データは、枠内領域Ａｉのみに対応するものであり、ここには、枠内追加画像（コード画像：図６参照）が差分として存在している。これに対し、図１１（ｅ）に示す枠外差分画像データは、枠外領域Ａｏのみに対応するものであり、ここには、枠外追加画像（目印画像：図７参照）が差分として存在している。
【００６５】
図１１（ｆ）は、図１１（ｄ）に示す枠内差分画像データを、図９に示す差分画像修正部１０６の枠内画像修正部１０６２で修正して得られた、修正後枠内差分画像データを示している。この例においては、枠内領域Ａｉに存在する枠内追加画像が、上述したようにＹのドット画像（各ドットの外径は約４２．３μｍ）によって構成されている。このため、枠内画像修正部１０６２においては、枠内差分画像データに対し、このサイズのＹのドット画像を実質的に消去することが可能な平滑化フィルタ処理を施すことで、修正後枠内差分画像データを作成している。より具体的に説明すると、この例では、枠内差分画像データを構成するＲＧＢ各色のデータのうち、ＲおよびＧのデータについては特に処理を施さず、Ｙに対応するＢのデータに対し平滑化フィルタ処理を施している。ただし、修正後枠内差分画像データの作成手法はこれに限られるものではなく、例えば、枠内差分画像データの解像度（この例では検査解像度）を、より低解像度に変換することにより、修正後枠内差分画像データにおいて枠内追加画像すなわちＹのドット画像を実質的に消去する手法を採用してもよい。また、これ以外にも、例えば、枠内差分画像データにおける各画素値（明度や彩度）が、予め決められた設定値よりも小さい画素については、その画素値を０に変更することにより、修正後枠内差分画像データにおいて枠内追加画像すなわちＹのドット画像を実質的に消去する手法を採用することもできる。なお、このようなことが可能であるのは、本実施の形態の枠内追加画像が、背景の白色と色差が小さいＹの色材によって構成されていることによるものである。
【００６６】
図１１（ｇ）は、図１１（ｅ）に示す枠外差分画像データを、図９に示す差分画像修正部１０６の枠外画像修正部１０６３で修正して得られた、修正後枠外差分画像データを示している。ここで、枠外領域Ａｏに存在する枠外追加画像は、元画像が存在する枠内領域Ａｉの外側にあり、しかも、上述したように用紙Ｐ上に印刷された後に最終的には裁断によって取り除かれる部位でもある。このため、枠外画像修正部１０６３においては、枠外差分画像データを構成する各画素の画素値を、一律にすべて０に置き換える置換処理を施すことで、修正後枠外差分画像データを作成している。
【００６７】
図１１（ｈ）は、図１１（ｆ）に示す修正後枠内差分画像データと、図１１（ｇ）に示す修正後枠外差分画像データとを、図９に示す差分画像修正部１０６の画像合成部１０６４で合成して得られた、修正後差分画像データを示している。この例においては、修正後枠内差分画像データおよび修正後枠外差分画像データのそれぞれにおいて、追加画像の存在に起因する差分が取り除かれているため、修正後差分画像データを構成する各画素の画素値が、それぞれ０となっている。ただし、枠内領域Ａｉ内に、追加画像の存在に起因せず、且つ差分画像修正部１０６で消去されない差分が存在している場合、すなわち、印刷画像に、差分画像修正部１０６で消去されないような元画像および追加画像以外の画像（例えば汚れ）が存在している場合、あるいは、印刷画像に元画像に対応する画像が存在していない場合には、その部位にある画素の画素値が、ある大きさを持つことになる。
【００６８】
なお、上述した例においては、差分画像修正部１０６において、差分画像データを、枠内差分画像データおよび枠外差分画像データに分離した後、各画像データにそれぞれ修正を施した後に、得られた修正後枠内差分画像データおよび修正後枠外差分画像データを合成して、修正後差分画像データを得ていた。ただし、枠外追加画像は、画像欠陥を判定する際に実質的に不要である。このため、差分画像修正部１０６において、差分画像データを、枠内差分画像データおよび枠外差分画像データに分離した後、枠内差分画像データのみに修正を施し、得られた修正後枠内差分画像データを、そのまま修正後差分画像データとして検査装置３に出力するようにしてもかまわない。
【００６９】
＜実施の形態２＞
実施の形態１では、印刷装置１で印刷前後の２つの画像データの差分を取った画像データ（修正後差分画像データ）を作成し、検査装置３において、この修正後差分画像データに基づく画像欠陥の検出を行っていた。これに対し、本実施の形態は、印刷装置１で印刷前後の２つの画像データの作成を行うとともに、検査装置３において、これら印刷前後の２つの画像データの差分を取った画像データ（差分画像データ）の作成と、この差分画像データに基づく画像欠陥の検出とを行うようにしたものである。なお、本実施の形態において、実施の形態１と同様のものについては、同じ符号を付してその詳細な説明を省略する。
【００７０】
図１２は、本実施の形態における印刷装置１の機能構成を示すブロック図である。
本実施の形態の印刷装置１は、用紙Ｐに画像を印刷する画像形成部１０と、用紙Ｐ上の印刷画像を読み取る画像読取部７０と、ユーザによる画像形成の実行・中止の指示や追加画像（詳細は後述する）の作成の有無等を受け付けるユーザインタフェース（ＵＩ）８０と、これら画像形成部１０、画像読取部７０およびＵＩ８０を制御する制御部１００とを有している。また、制御部１００は、送受信部１０１と、追加画像作成部１０２と、画像重畳部１０３と、照合用元画像作成部１０４と、読取画像修正部１０７とを備えている。すなわち、本実施の形態の制御部１００は、読取画像修正部１０７をさらに備える一方、画像照合部１０５および差分画像修正部１０６を備えていない点で、実施の形態１とは異なる。なお、制御部１００のうち、追加画像作成部１０２、画像重畳部１０３および照合用元画像作成部１０４の機能は、実施の形態１と同じである。
【００７１】
無効化手段の一例としての読取画像修正部１０７は、画像読取部７０から入力されてくる読取画像データに対し、元画像データに追加画像データが追加されたことに起因して、用紙Ｐ上の印刷画像中に存在することとなった追加画像の画素成分を、読取画像データから取り除くための修正を行うことで、『修正後読取画像データ』を作成する。なお、この例では、読取画像データが入力色空間で定義されるとともに入力解像度で作成されているために、修正後読取画像データも、入力色空間で定義されるとともに入力解像度で作成される。ここで、本実施の形態の読取画像修正部１０７が有する機能は、実施の形態１において印刷装置１に設けられていた差分画像修正部１０６と同じである。このため、以下の説明では、図９に示す差分画像修正部１０６を、読取画像修正部１０７と読み替えて説明を行う。すなわち、本実施の形態の読取画像修正部１０７は、画像分離部１０６１と、枠内画像修正部１０６２と、枠外画像修正部１０６３と、画像合成部１０６４とを備えている。
【００７２】
そして、本実施の形態では、同じ元画像データに基づいて、照合用元画像作成部１０４で作成された照合用元画像データと、読取画像修正部１０７で作成された修正後読取画像データとが、送受信部１０１を介して検査装置３に送られる。
【００７３】
図１３は、本実施の形態における検査装置３の機能構成を示すブロック図である。
本実施の形態の検査装置３は、送受信部３０１と、画像照合部３０２と、画像欠陥判定部３０３とを備えている。すなわち、本実施の形態の検査装置３は、画像照合部３０２をさらに備えている点で、実施の形態１とは異なる。なお、検査装置３に設けられる、差分画像作成手段の一例としての画像照合部３０２が有する機能は、実施の形態１において印刷装置１に設けられていた画像照合部１０５と同じである。
【００７４】
図１４は、本実施の形態の印刷システムによる印刷および検査の手順を説明するための図である。以下では、図１４にしたがって、印刷システムを構成する各装置の動作および各装置間でのデータのやりとりについて説明を行う。
【００７５】
設定装置２（図示せず）で作成された元画像データ（設定色空間（この例ではＣＭＹＫ）、設定解像度）が、印刷装置１の画像重畳部１０３に入力される。また、印刷装置１の追加画像作成部１０２（図示せず）が、この元画像データに対応する追加画像データ（ＣＭＹＫ、設定解像度）を作成し、画像重畳部１０３に出力する。これに伴い、画像重畳部１０３は、入力されてきた元画像データと追加画像データとを重畳し、原稿画像データ（出力色空間（この例ではＣＭＹＫ）、出力解像度）を作成する。また、同じ元画像データ（ＣＭＹＫ、設定色空間）が、印刷装置１の照合用元画像作成部１０４に入力される。これに伴い、照合用元画像作成部１０４は、元画像データ（ＣＭＹＫ、設定色空間）に基づく照合用元画像データ（検査色空間（この例ではＲＧＢ）、検査解像度）を作成する。
【００７６】
また、印刷装置１では、画像重畳部１０３で作成された印刷画像データ（ＣＭＹＫ、出力解像度）が、画像形成部１０に入力される。これに伴い、画像形成部１０が、ＣＭＹＫの各色を含む画像を用紙Ｐに印刷する。続いて、この用紙Ｐ上の印刷画像を、印刷装置１に設けられた画像読取部７０が読み取る。そして、画像読取部７０は、３本のラインセンサを用いた読取結果に基づいて、読取画像データ（入力色空間（この例ではＲＧＢ）、入力解像度）を作成する。
【００７７】
続いて、印刷装置１では、画像読取部７０で作成された読取画像データ（ＲＧＢ、入力解像度）が、読取画像修正部１０７に入力される。これに伴い、読取画像修正部１０７は、読取画像データ（ＲＧＢ、入力解像度）に対し、元画像データに追加画像データが追加されたことに起因して、用紙Ｐ上の印刷画像中に存在することとなった追加画像の画素成分を、読取画像データから取り除くための修正を行い、修正後読取画像データ（ＲＧＢ、検査解像度）を作成する。なお、読取画像修正部１０７における処理の具体的な手順については後述する。
【００７８】
そして、印刷装置１からは、同じ元画像データ（ＣＭＹＫ、設定解像度）に基づいて得られた照合用元画像データ（ＲＧＢ、検査解像度）および修正後読取画像データ（ＲＧＢ、検査解像度）が、検査装置３に向けて出力される。
【００７９】
次に、検査装置３では、印刷装置１から出力された、同じ元画像データに基づく照合用元画像データ（ＲＧＢ、検査解像度）および修正後読取画像データ（ＲＧＢ、検査解像度）が、画像照合部３０２に入力される。これに伴い、画像照合部３０２は、これら照合用元画像データ（ＲＧＢ、検査解像度）と修正後読取画像データ（ＲＧＢ、検査解像度）とを用いて、二次元座標上で同一位置にある画素毎に画素値同士の差分を演算し、得られた差分をそれぞれの画素値とする差分画像データ（ＲＧＢ、検査解像度）を作成する。
【００８０】
続いて、検査装置３では、画像照合部３０２で作成された差分画像データが、画像欠陥判定部３０３に入力される。これに伴い、画像欠陥判定部３０３は、この差分画像データに基づいて、用紙Ｐに印刷された印刷画像における画像欠陥の有無を判定する。ここで、画像欠陥の発生が検出された場合は、この判定結果が、設定装置２に送信される。そして、設定装置２では、ＵＩ２０２（図３参照）に、画像欠陥の発生を伝えるための画像が表示される。
【００８１】
図１５は、本実施の形態において、読取画像データおよび照合用元画像データから差分画像データを作成する手順を説明するための図である。なお、以下では、実施の形態１と同じく、図６および図７に示す「あいうえお」の文字画像が元画像となっており、且つ、図６に示す枠内追加画像（コード画像）および図７に示す枠外追加画像（目印画像）の両者を含むものが追加画像となっている場合を、例として説明を行う。
【００８２】
図１５（ａ）は、画像読取部７０で用紙Ｐ上の印刷画像を読み取って得られた読取画像データを示している。図１５（ａ）に示す読取画像データは、枠内領域Ａｉに「あいうえお」の文字画像と枠内追加画像データに基づく枠内追加画像（コード画像：図６参照）とを有しており、さらに、枠外領域Ａｏに枠外追加画像（目印画像：図７参照）を有している。
【００８３】
図１５（ｂ）は、図１５（ａ）に示す読取画像データを、読取画像修正部１０７の画像分離部１０６１で分離して得られた、枠内読取画像データを示している。また、図１５（ｃ）は、図１５（ａ）に示す読取画像データを、読取画像修正部１０７の画像分離部１０６１で分離して得られた、枠外読取画像データを示している。このとき、図１５（ｂ）に示す枠内読取画像データは、枠内領域Ａｉのみに対応するものであり、ここには、元画像における文字画像と枠内追加画像（コード画像：図６参照）とが存在している。これに対し、図１５（ｃ）に示す枠外読取画像データは、枠外領域Ａｏのみに対応するものであり、ここには、枠外追加画像（目印画像：図７参照）が存在している。
【００８４】
図１５（ｄ）は、図１５（ｂ）に示す枠内読取画像データを、読取画像修正部１０７の枠内画像修正部１０６２で修正して得られた、修正後枠内読取画像データを示している。この例においては、実施の形態１で枠内差分画像データに施していたのと同じ処理を、枠内読取画像データに施すことで、修正後枠内読取画像データを作成している。このとき、枠内領域Ａｉに存在していた追加画像（枠内追加画像）の画素成分は実質的に消去されるが、同じ枠内領域Ａｉに存在していた元画像の画素成分（「あいうえお」の文字画像）は、消去されずにそのまま残る。
【００８５】
図１５（ｅ）は、図１５（ｃ）に示す枠外読取画像データを、読取画像修正部１０７の枠外画像修正部１０６３で修正して得られた、修正後枠内読取画像データを示している。この例においては、実施の形態１において枠外差分画像データに施していたのと同じ処理を、枠外画像読取データに施すことで、修正後枠外読取画像データを作成している。このとき、枠外領域Ａｏに存在していた追加画像（枠外追加画像）の画素成分は完全に消去される。
【００８６】
図１５（ｆ）は、図１５（ｄ）に示す修正後枠内読取画像データと、図１５（ｅ）に示す修正後枠外読取画像データとを、読取画像修正部１０７の画像合成部１０６４で合成して得られた、修正後読取画像データを示している。この例においては、修正後枠内読取画像データおよび修正後枠外読取画像データのそれぞれにおいて、追加画像の存在に起因する差分が取り除かれているため、修正後差分画像データを構成する各画素の画素値が、元画像データに基づいて文字画像が存在している画素を除き、すべて０となっている。ただし、枠内領域Ａｉ内に、追加画像の存在に起因しない差分が存在している場合、すなわち、印刷画像に元画像および追加画像以外の画像（汚れ）が存在している場合、あるいは、印刷画像に元画像に対応する画像が存在していない場合には、その部位にある画素の画素値が、ある大きさを持つことになる。
【００８７】
図１５（ｇ）は、上述した読取画像データと同じ元画像データに基づき、照合用元画像作成部１０４で得られた照合用元画像データを示している。この照合用元画像データは、枠内領域Ａｉに「あいうえお」の文字画像を有している。
【００８８】
図１５（ｈ）は、図１５（ｆ）に示す修正後読取画像データと、図１５（ｇ）に示す照合用元画像データとに基づき、画像照合部３０２で作成された差分画像データを示している。この例においては、修正後読取画像データおよび照合用元画像データの両者に、元画像（「あいうえお」の文字画像）が含まれているため、差分画像データには、元画像の画素成分が存在しなくなる。また、この例では、修正後読取画像データにおいて、既に追加画像に起因する画素成分が取り除かれているため、差分画像データには、追加画像の画素成分も残らなくなる。ただし、上述した汚れに起因する画像の付加や元画像の欠落等が生じている場合、差分画像データは、その部位にある画素の画素値が、ある大きさを持つことになる。
【符号の説明】
【００８９】
１…印刷装置、２…設定装置、３…検査装置、４…ネットワーク、１０…画像形成部、７０…画像読取部、１００…制御部、１０１…送受信部、１０２…追加画像作成部、１０３…画像重畳部、１０４…照合用元画像作成部、１０５…画像照合部、１０６…差分画像修正部、１０７…読取画像修正部、２０１…元画像作成部、２０２…ＵＩ、２０３…送受信部、３０１…送受信部、３０２…画像照合部、３０３…画像欠陥判定部、Ｐ…用紙、Ｆ…設定枠、Ａｉ…枠内領域、Ａｏ…枠外領域
【図１】
0006010933.tif 000002
【図２】
0006010933.tif 000003
【図３】
0006010933.tif 000004
【図４】
0006010933.tif 000005
【図５】
0006010933.tif 000006
【図６】
0006010933.tif 000007
【図７】
0006010933.tif 000008
【図８】
0006010933.tif 000009
【図９】
0006010933.tif 000010
【図１０】
0006010933.tif 000011
【図１１】
0006010933.tif 000012
【図１２】
0006010933.tif 000013
【図１３】
0006010933.tif 000014
【図１４】
0006010933.tif 000015
【図１５】
0006010933.tif 000016